(57)【特許請求の範囲】
【請求項１】
非変形時において被取付面（２９、２９）間の間隙の幅よりも広幅とされた断面略Ｖ字状の樋（２）と、この樋（２）に被装して上記樋（２）の幅が上記被取付面（２９、２９）間の間隙の幅よりも狭幅となるよう弾性変形した状態を維持する、上記被取付面（２９、２９）間の間隙の幅よりも狭幅とされた断面略Ｃ字状のカバー冶具（１１）とを備えており、上記樋（２）の外側面には、上記樋（２）の長手方向に沿って止水機能部材（１０）が設けられ、上記カバー冶具（１１）は、この止水機能部材（１０）を覆うようにして上記樋（２）に着脱可能に被装していることを特徴とするカバー冶具付き樋。
【請求項２】
上記樋（２）の外側面には、上記樋（２）の長手方向に沿って凹溝（７）が形成されており、上記カバー冶具（１１）は、この凹溝（７）にカバー冶具（１１）のリップ部（１２）を入れ込むようにして上記樋（２）に被装している請求項１記載のカバー冶具付き樋。
【請求項３】
上記樋（２）の長手方向端部は、上記凹溝（７）が形成されない連結部（８）とされ、上記凹溝（７）の、上記樋（２）の長手方向における端部には、溝深さを漸次減じる傾斜部（９）が形成されている請求項２記載のカバー冶具付き樋。
【請求項４】
上記カバー冶具（１１）のリップ部（１２）が、上記カバー冶具（１１）の長手方向に向かって斜めに切欠形成されている請求項２又は３記載のカバー冶具付き樋。
【請求項５】
上記止水機能部材（１０）は、吸水膨張性不織布からなる請求項１乃至４のいずれかに記載のカバー冶具付き樋。
【請求項６】
請求項１乃至５のいずれかに記載のカバー冶具付き樋を、上記被取付面（２９、２９）間の間隙に挿入した後、上記カバー冶具（１１）を上記樋（２）から取り外すことで、上記樋（２）の弾性反発力を利用して上記止水機能部材（１０）を上記被取付面（２９）に当接させることを特徴とする樋の取付方法。
【請求項７】
上記止水機能部材（１０）を上記被取付面（２９）に当接させた状態において、上記被取付面（２９）と上記樋（２）と上記止水機能部材（１０）とで囲まれた、上方に開口を有する貯め部（１４）が形成されるように、上記止水機能部材（１０）を上記樋（２）の上端よりも下方に設け、上記止水機能部材（１０）を被取付面（２９）に当接させた後、上記被取付面（２９）と上記止水機能部材（１０）とに跨るようにして止水性塗料を塗布する請求項６記載の樋の取付方法。
【発明の詳細な説明】
【技術分野】
【０００１】
この発明は、樋と、この樋を橋梁等の遊間に取り付けるためのカバー冶具とからなるカバー冶具付き樋及びこれを用いた樋の取付方法に関する。
【背景技術】
【０００２】
一般に、道路橋や高架橋は、図８に示すように、橋脚２０上に支承２１を介して橋桁２２を設置し、この橋桁２２上に床版２３を配置した構造となっており、床版２３上に舗装２４が施されることで路面が構成されている。また、橋桁２２と橋桁２２との間、橋桁２２と橋台パラペットとの間には、図９に示すように、温度変化等に起因する橋桁２２の伸び縮みを吸収するための遊間２５が確保されている。そして、この遊間２５の変位を許容するとともに、遊間２５を覆って路面の平坦性や連続性を維持するために、床版２３、２３間の継目部において伸縮継手２６が設けられている。
【０００３】
伸縮継手２６は、図１０に示すように、例えば一対の櫛歯状の継手部材２７（フィンガー）を噛み合わせた構造となっていて、これら継手部材２７が遊間２５の変位に伴って互いに近接離間するようになっている。このような伸縮継手２６を設けた場合、路面に降った雨水や散水等が床版２３、２３間の継目部から落下することになるが、この落下してくる漏水には、路面に散布された凍結防止剤等、橋桁２２や支承２１等の劣化を促進する物質が含まれている場合があることから、従来より、継目部からの漏水を受けとめるべく、遊間２５に樋を配設し、橋桁２２等への漏水の浸透を抑制することが検討されていた（例えば特許文献１、２参照）。
【先行技術文献】
【特許文献】
【０００４】
【特許文献１】特開２０１２−０２６１３６号公報
【特許文献２】実公昭４６−３５５５４号公報
【発明の概要】
【発明が解決しようとする課題】
【０００５】
ところで、上記特許文献１、２に開示されている樋は、ゴムや折曲した鋼板等、弾性反発力を有する物から形成されている。また、その幅は、非変形時（非拘束時）において遊間の幅よりも幅広とされており、樋幅を狭めた状態で遊間内に配置することで、自身の弾性反発力を利用して取り付けができるようになっている。このような構成の樋は、取り付けが非常に簡単であり、また橋桁の伸び縮みに対しても追従可能であることから、橋梁用の樋として用いるのに好適である。
【０００６】
ただ、樋の被取付面となる橋桁や橋台パラペットの表面は完全な平滑面ではなく、随所に不陸が見られる。従って、単に弾性反発力によって当接させただけでは、被取付面との間に隙間が生じ、十分な止水効果が得られない場合もある。そこで、特許文献１、２に開示の樋においては、橋桁や橋台パラペットと当接する部分に止水性を高めるための止水機能部材（特許文献１においては弾圧シール、特許文献２においては固定具）を別途設けている。
【０００７】
ところが、従来、この止水機能部材の機能を十分発揮させることが容易でなかった。すなわち、遊間の幅が数センチから十数センチと狭小なため、樋の取り付けに際して橋桁等への接触が頻繁に発生し、それに伴い止水機能部材が磨耗、脱落する可能性があり、意図した効果を得られないことが想定される。特に、止水機能部材は、一般に、被取付面側に
突出して設けられていることから、樋の他の部分よりも磨耗や脱落が生じ易い。また、橋の交通規制を行わずして遊間への樋の取付作業を行う場合には、道路上から作業が行えないため、数メートルから数十メートルに及ぶ橋梁の幅員にわたって、遊間の側方から樋を挿入していかねばならず、作業を慎重に行ったとしても、止水機能部材の磨耗や脱落を完全に防ぐことは極めて困難であった。
【０００８】
なお、例えば止水機能部材の表面に保護用のシール等を貼り付けておき、挿入後に剥がすようにすれば、挿入時における止水機能部材の橋桁等への直接的な接触をある程度抑制できると考えられる。ただ、橋梁の道路幅員は数メートルから数十メートルに及ぶことから、この距離を保護し続けるには十分とはいえない。また、止水機能部材に限らず、樋本体が橋梁等と接触し、損傷することもあり、改善が望まれていた。
【０００９】
そこで、この発明は、上記の不具合を解消して、取付作業が簡単でありながらも高い止水性を発揮させることのできるカバー冶具付き樋及びこれを用いた樋の取付方法の提供を目的とする。
【課題を解決するための手段】
【００１０】
この発明のカバー冶具付き樋１は、非変形時において被取付面２９、２９間の間隙の幅よりも広幅とされた断面略Ｖ字状の樋２と、この樋２に被装して上記樋２の幅が上記被取付面２９、２９間の間隙の幅よりも狭幅となるよう弾性変形した状態を維持する、上記被取付面２９、２９間の間隙の幅よりも狭幅とされた断面略Ｃ字状のカバー冶具１１とを備えており、上記樋２の外側面には、上記樋２の長手方向に沿って止水機能部材１０が設けられ、上記カバー冶具１１は、この止水機能部材１０を覆うようにして上記樋２に着脱可能に被装していることを特徴としている。
【００１１】
また、上記樋２の外側面には、上記樋２の長手方向に沿って凹溝７が形成されており、上記カバー冶具１１は、この凹溝７にカバー冶具１１のリップ部１２を入れ込むようにして上記樋２に被装していることが好ましい。また、上記樋２の長手方向端部は、上記凹溝７が形成されない連結部８とされ、上記凹溝７の、上記樋２の長手方向における端部には、溝深さを漸次減じる傾斜部９が形成されていることが好ましい。
【００１２】
上記カバー冶具１１のリップ部１２が、上記カバー冶具１１の長手方向に向かって斜めに切欠形成されていることが好ましい。また、上記止水機能部材１０としては、吸水膨張性不織布が好ましい。
【００１３】
この発明の樋の取付方法は、カバー冶具付き樋１を、上記被取付面２９、２９間の間隙に挿入した後、上記カバー冶具１１を上記樋２から取り外すことで、上記樋２の弾性反発力を利用して上記止水機能部材１０を上記被取付面２９に当接させることを特徴とする。また、上記止水機能部材１０を上記被取付面２９に当接させた状態において、上記被取付面２９と上記樋２と上記止水機能部材１０とで囲まれた、上方に開口を有する貯め部１４が形成されるように、上記止水機能部材１０を上記樋２の上端よりも下方に設け、上記止水機能部材１０を被取付面２９に当接させた後、上記被取付面２９と上記止水機能部材１０とに跨るようにして止水性塗料を塗布することが好ましい。
【発明の効果】
【００１４】
この発明のカバー冶具付き樋は、被取付面間に設けられた間隙よりも樋やカバー冶具の幅が小とされているため、間隙内に容易に入れ込むことができる。また、カバー冶具によって止水機能部材を覆っているため、取付作業の際に、止水機能部材が橋桁や橋台パラペット等に接触して磨耗、脱落することがなく、意図したとおりの効果を発揮させることができる。さらに、樋自体もカバー冶具によって被装していることから、樋の損傷をも抑制
することができる。また、磨耗や脱落に気を配る必要がないため、取付作業を簡単且つ短時間に完了させることができる。
【００１５】
また、カバー冶具のリップ部を凹溝に入れ込むようにして樋にカバー冶具を被装することで、搬送時や施工時においてカバー冶具が上下方向（樋の長手方向と直交する方向）にずれ動くことを防止することができ、カバー冶具によって止水機能部材を損傷させるといった虞を排除することができる。
【００１６】
さらに、凹溝の長手方向端部において、溝深さを漸次減じる傾斜部を形成することで、凹溝に沿ってカバー冶具をスライドさせれば、簡単に樋からカバー冶具を取り外す（引き抜く）ことができる。さらに、リップ部をカバー冶具の長手方向に向かって斜めに切欠形成することで、より簡単に樋からカバー冶具を取り外すことができる。
【００１７】
また、止水機能部材として吸水膨張性不織布を用いれば、被取付面と止水機能部材との間に隙間が生じていたとしても、そこに漏水が差し掛かった段階で漏水を捉えることができる。さらに、吸水に伴い膨張するため、比較的大きな不陸であっても隙間なく当接させることができる。
【００１８】
この発明の樋の取付方法では、カバー冶具付き樋を間隙内に挿入した後、カバー冶具を取り外すだけで、樋の弾性反発力を利用して止水機能部材を被取付面に当接させることができ、簡単で確実な施工が可能である。また、被取付面と樋と止水機能部材とで貯め部を形成し、被取付面と止水機能部材とに跨るように止水性塗料を塗布すれば、被取付面と止水機能部材との間に生じた隙間を閉塞することができ、止水効果を向上させることができる。特に、貯め部に十分な量の止水性塗料を留めることができ、止水効果が一層向上する。
【図面の簡単な説明】
【００１９】
【図１】この発明の一実施形態に係るカバー冶具付き樋を示す分解斜視図である。
【図２】樋の端面図である。
【図３】樋同士の連結を示す分解斜視図である。
【図４】カバー冶具を樋に被装した状態を示す端面図である。
【図５】遊間へのカバー冶具付き樋の挿入状態を示す端面図である。
【図６】遊間への樋の取付状態を示す端面図である。
【図７】止水機能部材近傍を示す要部拡大端面図である。
【図８】遊間への樋の取付状態を示す概略正面図である。
【図９】遊間部の端面図である。
【図１０】伸縮継手の平面図である。
【発明を実施するための形態】
【００２０】
以下、この発明の実施形態を図面に基づいて詳細に説明する。図１乃至図４は、この発明の一実施形態に係るカバー冶具付き樋１を示している。このカバー冶具付き樋１は、樋２とカバー冶具１１とから構成されている。
【００２１】
樋２は、例えばポリエチレン樹脂製であって、図１及び図２に示すように、断面略Ｖ字状とされている。具体的には、内側に流水用の溝部３を有しており、この溝部３は、断面Ｕ字状の溝底壁４と、この溝底壁４の長さ方向に沿った上端部分から延出されて、上方へ向うにつれて互いに離間するように拡開した一対の溝側壁５、５とによって、全体として断面略Ｖ字状とされている。また、溝底壁４と溝側壁５との境界部分６は、く字状に折曲されており、樋２を幅方向に弾性変形させた際には、主として溝側壁５が境界部分６を支点として開閉して、最も水が流れる溝底壁４はその断面Ｕ字状の形状を維持し易くなって
いる。
【００２２】
また、溝側壁５には、樋２の長手方向に向って凹溝７が形成されている。この凹溝７は、図２に示すように、樋２の内側に断面略台形状に膨出して形成されており、溝側壁５の内面から延出した上面部分が斜め下方へ傾斜して配されている。これにより、凹溝７に水や土砂等が溜まらず、また凹溝７によって、溝側壁５を伝って溝底壁４へ導かれる水の流れを阻害しないようになっている。なお、凹溝７は、図１に示すように、樋２の長手方向両端部を回避して形成されており、樋２両端部に位置する溝側壁５はフラット（平滑）となっている。そして、このフラットとされた部分（連結部８）と凹溝７とを連続的に繋げるようにして、凹溝７の、樋２の長手方向における端部には、溝深さを漸次減じる傾斜部９が形成されている。
【００２３】
樋２の幅は、非変形時においては、被取付面２９、２９間の間隙の幅（遊間２５の幅）よりも広幅とされている。また、樋２の長さは０．５メートルから十数メートルの範囲とされており、道路幅員や施工性に合わせて適宜選択可能となっているが、複数の樋２を連結することにより、所望の長さを得るようにしても良い。樋２の連接に際しては、樋２の長手方向両端部に設けられた、凹溝７の形成されていない連結部８、８同士を、図３に示すように、上流側に配置する樋２の下流側端部を、下流側に配置する樋２の上流側端部に対して上方から重ね合わせるようにして行う。このように連結することで、樋２、２間の接続部分において上流側から下流側へ流れる水が漏れ出ないようにしている。なお、樋２の下流側端部は、上流側端部よりもひとまわり小さくなっていて、これら上流側端部と下流側端部とを重ね合わせた連接時において、樋２の外周面同士がフラットに連続するようになっている。
【００２４】
ところで、溝側壁５の外側面（溝部３とは反対側の面）には、図１及び図２に示すように、樋２の長手方向に沿って止水機能部材１０が設けられている。この止水機能部材１０は、例えば幅５〜２０ｍｍ程度、厚さが５〜１０ｍｍ程度とされた帯状の吸水膨張性不織布であって、樋２の上端よりも５〜２０ｍｍ程度下方で且つ凹溝７の上方に取り付けられている。この止水機能部材１０は、樋２の連結部８にまで設けられており、樋２、２同士を連結した際に、止水機能部材１０間に切れ目が生じないようになっている。なお、樋２を連結して使用しない場合には、樋２の両端部近傍まで止水機能部材１０を設けておくことが好ましい。
【００２５】
カバー冶具１１は、例えばポリエチレン樹脂製であって、図１及び図４に示すように、断面略Ｃ字状とされている。具体的には、樋２を取り付ける被取付面２９、２９間の間隙の幅よりも狭幅な角筒状パイプの一辺の略中央部近傍を長手方向に切除することにより、互いに近接する方向に向かって突出したリップ部１２、１２を有する断面略Ｃ字状に形成されている。また、長手方向両端部に位置するリップ部１２は、長手方向に向かって斜めに切欠形成されている。
【００２６】
そして、図４に示すように、このカバー冶具１１を、樋２の幅を被取付面２９、２９間の間隙の幅よりも狭幅となるように、溝側壁５、５同士を互いに近接させる方向に弾性変形させた状態で、樋２の上方側（溝部３の開口側）から被装させることでカバー冶具付き樋１を形成している。この際、カバー冶具１１のリップ部１２は、樋２の凹溝７に入り込んだ状態となる。また、吸水膨張性不織布１０はカバー冶具１１によって覆われることになる。なお、カバー冶具１１の幅は、樋２に被装された状態において、樋２の幅よりも大となるが、被取付面２９、２９間の間隙の幅よりも小である。
【００２７】
上記構成のカバー冶具付き樋１は以下の方法により、遊間２５に取り付けられる。図９において、２８は、橋桁２２を打設する際に型枠として用いた発泡スチロール板である。
この発泡スチロール板２８は、遊間２５に位置するものの、遊間２５の近接離間に追従して変形するものではないため止水性は見込めない。そこで図５に示すように、一部除去して樋２を設置する場所を確保する。
【００２８】
発泡スチロール板２８の一部除去に際しては、まず先端に鋭利な刃を有するパイプを回転させながら発泡スチロールに差し込んでいき、橋の反対側まで貫通する先導孔を穿設する。次に、橋の反対側に突出したパイプに対し、橋桁２２、２２間の間隙（被取付面２９、２９間の間隙）の幅と同程度の直径を有する金属製の円筒状ブラシを取り付け、これを回転させながら手前に引き戻すことで先導孔を拡径していく。更なる拡径に際しては、下方に残存する発泡スチロール上に載置可能で且つ高さ位置の調整が可能なスタンドを用い、パイプの高さ位置を徐々に上方に向かって上げていくことで行う。なお、除去しきれなかった箇所については、金属製ブラシを取り付けた板材を往復させることで除去する。
【００２９】
樋２を挿通するに十分な孔を発泡スチロール板２８に穿設した後、次に、カバー冶具付き樋１を遊間２５の側方から挿入していく。挿入に際して、残存する発泡スチロール上を摺動させるようにして入れ込んでいけば、長尺であっても作業を簡単に行うことができる。また、カバー冶具１１によって吸水膨張性不織布１０や樋２が保護されているため、橋桁２２等に接触しないよう気を配りながら作業をする必要はなく、簡単且つ短時間に挿入作業を行うことができる。なお、樋２を連結することで所望長さとする場合には、事前に連結しておくことが好ましい。
【００３０】
図５に示すように、カバー冶具付き樋１を所定箇所に位置させた後、カバー冶具１１を凹溝７に沿ってスライドさせることで、樋２からカバー冶具１１を取り外す。取外しにあたっては、凹溝７の長手方向端部に傾斜部９が設けられているとともに、カバー冶具１１のリップ部１２に切欠部１３が形成されていることから、簡単に取り外しができる。なお、凹溝７によって、カバー冶具１１の樋２の長手方向とは直交する方向への移動が規制されていることから、取外し時等においてカバー冶具１１がずれ動き、吸水膨張性不織布１０を傷つけるといった虞もない。
【００３１】
カバー冶具１１が取り外された樋２は、自身の弾性反発力によって元の形状に戻ろうとする。そのため、図６に示すように、吸水膨張性不織布１０が被取付面２９に当接することになる。
【００３２】
吸水膨張性不織布１０を被取付面２９に当接させた後、吸水膨張性不織布１０の近傍に散水を行い、不織布を膨張させることで、被取付面２９と吸水膨張性不織布１０との間に生じた隙間を閉塞する。散水は、例えば樋２上を摺動可能な散水装置を用いて行う。散水装置は、被取付面２９に開口を向けたノズル部と、ノズル部の高さ位置を調節する高さ調節部と、これらを支持するとともに樋２上を摺動可能とするソリ部とから構成されており、ノズル部を、バネ等によって被取付面２９に付勢した状態とすることで、ノズル部の先端が常に被取付面２９に当接するようにされている。そして、この散水装置を樋２上に載置した状態で、ホース等で装置に水を供給しながら一定速度で押し込む又は引き込むことにより、散水を行う。
【００３３】
散水後、次に、被取付面２９と吸水膨張性不織布１０とに跨るようにして止水性塗料を塗布していく。塗布に際しては、例えば上記の散水装置を流用可能である。塗布された止水性塗料は、図７に示すように、吸水膨張性不織布１０を樋２（溝側壁５）の上端から５〜２０ｍｍ程度下方に取り付けることによって形成された、被取付面２９と樋２の外側面と吸水膨張性不織布１０の上端面とに囲まれた貯め部１４に留まることになる。そのため、十分な量の塗料が位置することとなり、高い止水性を発揮することになる。なお、止水性塗料としては、シリコン系の水溶性塗料が好適である。このシリコン系の水溶性塗料は
毒性が低く、臭気もなく、橋桁２２の伸び縮みに追従でき、さらに、被取付面２９が濡れていても施工が可能なためである。
【００３４】
そして、止水性塗料を塗布した後、樋２の両端の処理（排水枡３０、縦樋３１の取り付け）を行い、樋２の取り付けを完了する。
【００３５】
以上に本発明の実施形態について説明したが、この発明は、上記実施形態に限定されるものではなく、この発明の範囲内で上記実施形態に多くの修正及び変更を加え得ることは勿論である。
【００３６】
例えば、上記実施例においては、橋桁２２間に樋２を施工していたが、これに限らず、橋梁における橋台パラペットと橋桁２２との間に施工するようにしても良い。橋台パラペットと橋桁２２との間においても、橋桁２２、２２間と同様に、温度変化等に起因する橋桁２２の伸び縮みを吸収するための遊間２５が確保されているため、同様に適用できる。
【００３７】
また、樋２の材質としては、ポリエチレン樹脂製に限らず、ポリプロピレン樹脂やポリ塩化ビニル樹脂、ＡＢＳ樹脂等のようなその他の合成樹脂を成形素材としても良いし、鋼やステンレス等の金属薄板を折曲形成しても良い。さらにゴムであっても良い。要は、手等、比較的弱い力で押さえれば容易に狭められ、開放すれば元通りの形状に戻る程度の弾力性を有し、且つ幾度となく変形をさせたとしても弾力性を失わず、亀裂や破損等の異常が生じないものであれば良い。
【００３８】
止水機能部材１０としても、吸水膨張性不織布に限らず、発泡ゴム等、弾性に富む材質のものを使用しても良い。また、樋２の上端面と止水機能部材１０の上面とを合わせるようにして取り付けるようにしても良い。
【００３９】
カバー冶具１１においても、ポリエチレン樹脂製に限らず、ポリプロピレン樹脂やポリ塩化ビニル樹脂、ＡＢＳ樹脂等のようなその他の合成樹脂を成形素材としても良いし、鋼やステンレス等の金属薄板を折曲形成しても良いし、既成のリップ溝形鋼などを用いても良い。ただ、内周面が平滑とされていることが好ましい。また、容易に変形しない程度の剛性を有することが好ましい。形状については、円筒パイプの一部を長手方向に切除し、非連続の環状とすることで形成されても良い。また、上記実施例においては、樋２に傾斜部９を設けるとともに、カバー冶具１１のリップ部１２にも切欠を設けていたが、いずれか一方だけでも良い。なお、カバー冶具１１のリップ部１２に切欠を設けるのみである場合には、切欠の高さ（切欠部１３と切欠無形成部との差）が、凹溝７深さよりも高くなるようにし、凹溝７によって生じた段差を乗り上げ可能としておくことが好ましい。
【００４０】
また、発泡スチロール板２８に設けた樋挿通用の孔の拡径作業は、ブラシによるものの他、発熱体を用いて溶融させていくことにより行うようにしても良い。この場合、発泡スチロール粉が飛散することがない。また、上記実施例においては、樋２設置後に散水を行っていたが、必ず行わなければならないものではなく、湿気や漏水によって自然と膨張させるようにしても良い。
【符号の説明】
【００４１】
１・・カバー冶具付き樋、２・・樋、７・・凹溝、８・・連結部、９・・傾斜部、１０・・止水機能部材、１１・・カバー冶具、１２・・リップ部、１４・・貯め部、２９・・被取付面
【図１】
0006410304.tif 000002
【図２】
0006410304.tif 000003
【図３】
0006410304.tif 000004
【図４】
0006410304.tif 000005
【図５】
0006410304.tif 000006
【図６】
0006410304.tif 000007
【図７】
0006410304.tif 000008
【図８】
0006410304.tif 000009
【図９】
0006410304.tif 000010
【図１０】
0006410304.tif 000011